(57)【要約】【課題】雨水貯留機能を備えた格子を住宅外壁面に沿って外観良くしかも圧迫感を生じさせないように設置する。設計条件の自由度を増して見栄え良く増設可能とする。【解決手段】縦格子２又は横格子３となる格子素体ユニット４を、内部に水貯め部を形成する複数本の筒状体と複数の筒状継手とで構成する。少なくとも１つの筒状継手が接続機能付き筒状継手からなる。隣合う格子素体ユニット４を筒状接続体を介して接続連通することで、格子素体ユニット４と筒状接続体５とを格子状に組み合わせ構成すると共に、水貯め部に雨水流入口と雨水流出口１２とを設けるようにした雨水貯留機能を備えた格子である。【選択図】図１
2011111781.tif 000002
【特許請求の範囲】
【請求項１】
住宅外壁面に沿って設置される雨水貯留機能を備えた格子であって、縦格子と横格子のいずれか一方を筒状の格子素体ユニットで構成し、いずれか他方を両端が開口した筒状接続体で構成し、上記格子素体ユニットは、長さ方向に分割された複数本の筒状体と、各筒状体相互間に配置されて隣合う筒状体の端部同士を相互に接続連通する上接続口と下接続口とを有する複数の筒状継手とを備えると共に少なくとも１つの筒状継手が上記筒状接続体と接続可能とされる接続機能付き筒状継手からなり、格子素体ユニットの最下部を閉止することで格子素体ユニット内部に有底筒状の水貯め部が形成されると共に、隣合う格子素体ユニットの接続機能付き筒状継手同士を筒状接続体を介して接続することで、各格子素体ユニット内の水貯め部が筒状接続体を介して相互に接続連通された状態で、各格子素体ユニットと筒状接続体とが格子状に組み合わせ構成されており、少なくとも１つの格子素体ユニットの最上部に屋根からの雨水を水貯め部内に導入するための雨水流入口を設け、いずれか１つの格子素体ユニットの下部に水貯め部内に貯めた雨水を外部に取り出しするための雨水流出口を設けたことを特徴とする雨水貯留機能を備えた格子。
【請求項２】
筒状接続体の両端部を隣合う格子素体ユニットの接続機能付き筒状継手にそれぞれ接続した状態で、該接続機能付き筒状継手の内面から筒状接続体の内面に跨って挿入される接続補助部材を設けたことを特徴とする請求項１記載の雨水貯留機能を備えた格子。
【請求項３】
格子素体ユニットを壁面に対して固定する壁面固定具を備えると共に、格子素体ユニットの背面側に被掛止部を設け、該被掛止部を壁面固定具に設けた掛止部に対して格子素体ユニットの長さ方向にスライド可能な状態で掛止してなることを特徴とする請求項１又は２記載の雨水貯留機能を備えた格子。
【請求項４】
複数の格子素体ユニットのいずれかに、水貯め部内に雨水が充満した状態で更に雨水流入口から流入する過剰の雨水を外部にオーバーフローさせるためのオーバーフロー排出口を設けたことを特徴とする請求項１乃至請求項３のいずれか１項に記載の雨水貯留機能を備えた格子。
【請求項５】
雨水流出口は水貯め部の最下部近傍に設けられ、水貯め部内の水圧を利用して、水貯め部内の雨水を雨水流出口から外部の散水手段に供給するようにしたことを特徴とする請求項１乃至請求項４のいずれか１項に記載の雨水貯留機能を備えた格子。
【発明の詳細な説明】
【技術分野】
【０００１】
本発明は、建物の屋根に降った雨水を貯めて、雨水の有効利用を図るための雨水貯留機能を備えた格子に関するものである。
【背景技術】
【０００２】
従来より、屋根に降った雨水を雨水タンクに集めて雨水の利用を図ることが行われているが、雨水タンク自体が嵩高くて重量もあり、建物周辺に設置すると、建物外観と調和せず、違和感、圧迫感を感じることが多い。また設置場所の殆どが建物周辺の所謂、幅の狭い犬走り部分であり、ここに雨水タンクを設置すると、道路上に出っ張ることになり、邪魔になるケースが殆どである。
【０００３】
そこで、従来から、住宅外壁面に沿って、縦樋と、横方向に延びる上下多段にパイプ型雨水タンクとをそれぞれ設置すると共に、縦樋と各パイプ型雨水タンクとを接続配管を介してそれぞれ配管接続した雨水貯留装置が知られている（例えば、特許文献１参照）。
【先行技術文献】
【特許文献】
【０００４】
【特許文献１】特開２０００−３０３５０９号公報
【発明の概要】
【発明が解決しようとする課題】
【０００５】
ところが上記特許文献１に示される従来例では、上下多段のパイプ型雨水タンクを住宅壁面に沿って設置すると、建物との違和感が生じるなど外観が損なわれる。しかも縦樋と各パイプ型雨水タンクとをそれぞれ接続する配管部分が外部に露出して見苦しいものである。さらにパイプ型雨水タンクの横方向の格子長さ寸法は一定寸法に規格化されているため、例えばパイプ型雨水タンクを窓部の位置等に合わせて寸法調整をしたり、横方向への増設が困難になるという課題も有している。
【０００６】
本発明は上記の事情に鑑みてなされたものであって、その目的とするところは、住宅外壁面に沿って外観良く且つ圧迫感を生じさせないように設置でき、しかも設計条件の自由度が増し、見栄え良く増設が可能な雨水貯留機能を備えた格子を提供することにある。
【課題を解決するための手段】
【０００７】
前記の課題を解決するために、本発明は、以下の構成を特徴としている。
【０００８】
住宅外壁面に沿って設置される雨水貯留機能を備えた格子であって、縦格子２と横格子３のいずれか一方を筒状の格子素体ユニット４で構成し、いずれか他方を両端が開口した筒状接続体５で構成する。上記格子素体ユニット４は、長さ方向Ａに分割された複数本の筒状体６と、各筒状体６相互間に配置されて隣合う筒状体６の端部同士を相互に接続連通する上接続口７ａと下接続口７ｂとを有する複数の筒状継手７とを備えると共に少なくとも１つの筒状継手７が上記筒状接続体５と接続可能とされる接続機能付き筒状継手８からなる。格子素体ユニット４の最下部を閉止することで格子素体ユニット４内部に有底筒状の水貯め部９が形成されると共に、隣合う格子素体ユニット４の接続機能付き筒状継手８同士を筒状接続体５を介して接続することで、各格子素体ユニット４内の水貯め部９が筒状接続体５を介して相互に接続連通された状態で、各格子素体ユニット４と筒状接続体５とが格子状に組み合わせ構成されている。少なくとも１つの格子素体ユニット４の最上部に屋根からの雨水を水貯め部９内に導入するための雨水流入口１１を設け、いずれか１つの格子素体ユニット４の下部に水貯め部９内に貯めた雨水を外部に取り出しするための雨水流出口１２を設けたものである。
【０００９】
このような構成とすることで、隣合う格子素体ユニット４同士を筒状接続体５を介して接続連通することで、外観を格子状に構成できると共に格子１自体に雨水貯留機能を持たせることができる。しかも格子素体ユニット４相互間の隙間を通じて通風や採光ができると共に格子素体ユニット４間の間隔寸法を筒状接続体５によって均一に確保できるので、施工した際に住宅格子としてのデザインが得られ、従来のパイプ型雨水タンクのような違和感や圧迫感を与えることがなく、そのうえ格子素体ユニット４の突出が抑えられるので、道路側に出っ張ることも、通行の妨げなど邪魔になることもなくなる。また、格子素体ユニット４に組み込まれる筒状体６の数を増減したり、筒状体６自体の長さ寸法を変えたりすることで格子素体ユニット４の全長を容易に調整でき、且つ格子素体ユニット４の使用数を増減することで格子１の全幅を容易に調整できるので、例えば外壁高さや窓部の位置等に合わせて、格子１の形状、大きさを適宜変更自在となり、設計条件の自由度を増すことができる。
【００１０】
また、上記筒状接続体５の両端部を隣合う格子素体ユニット４の接続機能付き筒状継手８にそれぞれ接続した状態で、該接続機能付き筒状継手８の内面から筒状接続体５の内面に跨って挿入される接続補助部材１３を設けるのが好ましい。この場合、筒状接続体５の内側に挿入される接続補助部材１３を利用して、筒状継手８と筒状接続体５との接続部分の外れ防止と水漏れ防止とを図ることができる。従って、該接続部分に対して外部から外れ防止用の補強をしたり、防水加工を施す必要もなく、施工にかかる手間やコストを削減できると共に、接続補助部材１３は外部に露出しないため外観が損なわれることもない。
【００１１】
また、上記格子素体ユニット４を壁面１０に対して固定する壁面固定具１４を備えると共に、格子素体ユニット４の背面側に被掛止部１６を設け、該被掛止部１６を壁面固定具１４に設けた掛止部１５に対して格子素体ユニット４の長さ方向Ａにスライド可能な状態で掛止してなるのが好ましい。この場合、格子素体ユニット４の構成材料が樹脂の場合において、例えば夏場に熱で樹脂が収縮したときは、この熱収縮を壁面固定具１４の掛止部１５と格子素体ユニット４側の被掛止部１６とのスライド掛止部分にて吸収できるようになる。これにより、熱収縮に伴う格子素体ユニット４の変形発生を防止でき、変形に伴う水漏れの防止対策や、壁面１０との不陸調整を行う必要もなくなり、良好な外観を長期に亘って持続できるようになる。
【００１２】
また、上記複数の格子素体ユニット４のいずれかに、水貯め部９内に雨水が充満した状態で更に雨水流入口１１から流入する過剰の雨水を外部にオーバーフローさせるためのオーバーフロー排出口１７を設けるのが好ましい。この場合、多量の降雨時に雨水流入口１１から流入する過剰の雨水をオーバーフロー排出口１７から外部に排出できるので、水貯め部９の雨水流入口１１側から過剰の雨水が溢れ出して周囲の外壁や道路側に飛散したりすることがなく、雨仕舞いが良好となる。
【００１３】
また、上記雨水流出口１２は水貯め部９の最下部近傍に設けられ、水貯め部９内の水圧を利用して、水貯め部９内の雨水を雨水流出口１２から外部の散水手段１８に供給するのが好ましい。この場合、ポンプなどの動力源を用いずに水圧を利用して、貯留した雨水の外部への散水を省エネで行うことができる。
【発明の効果】
【００１４】
本発明は、雨水流入口と雨水流出口とに接続される水貯め部を格子内部に形成することで、格子自体が雨水貯留機能を備えて雨水の有効利用を図ると共に、住宅外壁面との違和感や圧迫感を与えないように外観良く設置できるものである。しかも格子の縦横寸法が調整可能となるので、従来の寸法が画一化されたパイプ型雨水タンクと異なり、雨水貯留機能を備えた格子の設計条件の自由度が増すと共に格子の増設を見栄え良く行えるものである。
【図面の簡単な説明】
【００１５】
【図１】本発明の一実施形態の雨水貯留機能を備えた格子を住宅外壁面に設置した状態を示す正面図である。
【図２】同上の格子内部において、雨水流入口から水貯めユニットの水貯め部内への雨水の流入方向と、過剰の雨水がオーバーフローユニットからオーバーフローする方向とを説明する概略構成図である。
【図３】本発明の他の実施形態を示し、（ａ）は正面壁から見た格子及び濾過ユニットの設置状態説明図であり、（ｂ）は側面壁から見た格子及び濾過ユニットの設置状態説明図である。
【図４】同上の格子を構成する格子素体ユニット、筒状接続体、呼び樋、濾過ユニット、散水手段等の分解斜視図である。
【図５】同上の格子素体ユニットに組み込まれる筒状継手の概略断面図であり、（ａ）は上下両端に接続口を備えた筒状継手を示し、（ｂ）は接続機能付き第１筒状継手を示し、（ｃ）は接続機能付き第２筒状継手を示し、（ｄ）は接続機能付き第３筒状継手を示す。
【図６】同上の接続機能付き筒状継手及び筒状接続体の内部に挿入される接続補助部材の一例を示し、（ａ）は通水型接続補助部材の断面図であり、（ｂ）は止水型接続補助部材の断面図であり、（ｃ）は接続補助部材の取り付け方向の説明図であり、（ｄ）（ｅ）は接続補助部材の取り付け手順の説明図である。
【図７】同上の接続機能付き筒状継手の背面の被掛止部を壁面固定具の掛止部にスライド可能に掛止する一例の斜視図である。
【図８】同上の住宅壁面のコーナー部を跨って正面壁と側面壁とにそれぞれ格子を設置する場合において、両格子間をコーナー用筒状継手を用いて接続する一例を示す分解斜視図である。
【図９】（ａ）は同上の格子の雨水流出口と散水ホース間に介設される濾過ユニットの断面図であり、（ｂ）は濾過ユニットの背面と壁面固定具とを説明する斜視図である。
【図１０】本発明の更に他の実施形態であり、格子素体ユニットを横格子とし、筒状接続体を縦格子として使用する場合を説明する分解斜視図である。
【図１１】図１０の格子素体ユニットに組み込まれる接続機能付き筒状継手の背面と壁面固定具とを説明する斜視図である。
【発明を実施するための形態】
【００１６】
以下、本発明を添付図面に示す実施形態に基いて説明する。
【００１７】
図１は、本実施形態の雨水貯留機能を備えた格子１を、住宅の壁面１０にそれぞれ設置した場合の一例を示し、図２は該格子１内部に形成される水貯め部９とこれに連通する雨水流入口１１、雨水流出口１２及びオーバーフロー排出口１７をそれぞれ示している。
【００１８】
本例では複数本の格子素体ユニット４を縦格子２として用い、複数本の筒状接続体５を横格子３として用いた場合の一例を示している。
【００１９】
格子素体ユニット４、筒状接続体５の材質として、建物との違和感を軽減するための材質、例えば、竹、木などの自然素材を用いたり、或いは表面を塗装した金属材料、或いは塩化ビニル、アクリル等の樹脂材料等を用いる。
【００２０】
縦格子を構成する複数本の格子素体ユニット４は、図２に示すように、水貯め機能を有する３本の格子素体ユニット４（以下、「水貯めユニット４Ａ」と称する。）と、オーバーフロー用縦樋として機能する１本の格子素体ユニット４（以下、「オーバーフローユニット４Ｂ」と称する。）とに分かれている。
【００２１】
各水貯めユニット４Ａ内部にはそれぞれ、上下方向に長い有底筒状の水貯め部９が設けられており、各水貯め部９が筒状接続体５を介して互いに接続連通されている。
【００２２】
いずれか１つの水貯め部９の最上部には、上方に開口した雨水流入口１１が設けられ、屋根７０から軒樋５２（図１）内に流入する雨水が雨水流入口１１を介して水貯め部９内に導入される。いずれか１つの水貯め部９の最下部近傍には、止水栓８０に接続される雨水流出口１２が設けられており、止水栓８０を開くことで水貯め部9内に溜めた雨水を雨水流出口１２を経由して散水手段等を用いて外部に散水できるようにしている。
【００２３】
一方、オーバーフローユニット４Ｂの上端側は、通水型の筒状接続体５を介して水貯め部９内部に連通しており、オーバーフローユニット４Ｂの下端側の筒状接続体５は止水手段１３Ｂにて止水されている。オーバーフローユニット４Ｂの最下部にはオーバーフロー排出口１７が設けられている。
【００２４】
次に、水貯めユニット４Ａ、筒状接続体５、オーバーフローユニット４Ｂの具体構造を説明する。
【００２５】
先ず、水貯めユニット４Ａ、筒状接続体５の具体構造を説明する。
【００２６】
水貯めユニット４Ａは、図４に示すように、長さ方向Ａに分割された複数本の筒状体６と、各筒状体６相互間に配置されて隣合う筒状体６の端部同士を相互に接続連通する複数個の筒状継手７とを備えている。
【００２７】
上記筒状体６及び筒状継手７はそれぞれ、上下両端が開口した中空角柱状に形成され、水貯めユニット４Ａ全体の外観が角柱状に統一されている。
【００２８】
筒状継手７は、図５（ａ）に示すように、上下に隣合う筒状体６の端部にそれぞれ嵌め込み接続される上接続口７ａと下接続口７ｂとを有している。
【００２９】
図４の例では、各格子素体ユニット４ごとに、少なくとも２つの筒状継手７が、横格子３となる筒状接続体５と接続可能とされる接続機能付き筒状継手８からなる。
【００３０】
なお、横格子３となる筒状接続体５は、両端がそれぞれ開口した中空円柱状に形成されている。
【００３１】
本例の接続機能付き筒状継手８は、上下両端に接続口７ａ,７ｂを備えた共通の構成に加えて、図５（ｂ）に示すように、一側面から筒状接続体５を突出させた第１筒状継手８Ａと、図５（ｃ）に示すように、一側面から筒状接続体５を突出させ、他側面に横接続口２０を開設した第２筒状継手８Ｂと、図５（ｄ）に示すように、一側面に横接続口２０を開設した第３筒状継手８Ｃとに分類されている。そして、図４に示すように、隣合う第１筒状継手８Ａと第２筒状継手８Ｂとの接続、隣合う第１筒状継手８Ａと第３筒状継手８Ｃとの接続、隣合う第２筒状継手８Ｂ,２Ｂ同士の接続、隣合う第２筒状継手８Ｂと第３筒状継手８Ｃとの接続を、適宜組み合わせることで、複数本の格子素体ユニット４と複数本の筒状接続体５とが格子状に組み合わせ構成されている。
【００３２】
ここで、上記接続機能付き筒状継手８に対する筒状接続体５の接続方法の一例を図６に示す。この接続補助部材１３は、図６（ａ）の両端が開口した通水型接続補助部材１３Ａと、図６（ｂ）の内部が閉鎖された止水型接続補助部材１３Ｂとの2種類がある。通水型接続補助部材１３Ａは主に水貯めユニット４Ａで使用され、止水型接続補助部材１３Ｂは主に後述するオーバーフローユニット４Ｂで使用される。
【００３３】
接続補助部材１３は、フランジ部２１と挿入部２２とが断面ハット状に形成されており、図６（ｃ）の矢印で示すように、第１筒状継手８Ａの内側から横接続口２０を介して隣合う第２筒状継手８Ｂから突出する筒状接続体５の内面に向けて挿入する。このとき図６（ｄ）に示すように、接続補助部材１３の外面に接着剤２３を塗布してから、図６（ｅ）に示すように、筒状接続体５の先端と接続補助部材１３のフランジ部２１とで第１筒状継手８Ａを挟み付けることにより、筒状接続体５と第１筒状継手８Ａとを接合一体化する。なお、接着剤２３による接合に限らず、例えば、筒状接続体５と第１筒状継手８Ａとを接続固定する別の固定手段を用いることも可能である。
【００３４】
また図４の例では、上方に開口した雨水流入口１１が呼び樋エルボ５４ａを介して呼び樋５３の一端に接続され、呼び樋５３の他端は呼び樋エルボ５４ｂを介して軒樋５２に接続されており、軒樋５２内の雨水は、呼び樋エルボ５４ａ→呼び樋５３→呼び樋エルボ５４ｂを介して雨水流入口１１に流れ落ちるようになっている。なお呼び樋エルボ５４ａ,５４ｂは接着剤を用いて雨水流入口１１及び呼び樋５３にそれぞれ防水接続される。なお、雨水流入口１１が設けられる水貯めユニット４Ａ以外の他の水貯めユニット４Ａの最上部の上面開口は、上部蓋５０でそれぞれ閉鎖される。
【００３５】
各水貯めユニット４Ａの最下部の下面開口は、それぞれ、下部蓋５１で閉鎖されており、これにより水貯めユニット４Ａ内部には縦方向に長くに延びた有底筒状の水貯め部９（図２）が形成されている。本例では上部蓋５０を反転させることで下部蓋５１として共用できるようにしている。
【００３６】
次に、オーバーフローユニット４Ｂを説明する。
【００３７】
オーバーフローユニット４Ｂは、複数本の格子素体ユニット４のうち、一方の最端部に位置する１本の格子素体ユニット４で構成される。本例のオーバーフローユニット４Ｂは、水貯めユニット４Ａと同様、長さ方向Ａ（図４の上下方向）に分割された複数本の筒状体６、筒状継手７、第１筒状継手８Ａ、第３筒状継手８Ｃ等で構成されている。これら各部品は角柱状の外観に統一されている。オーバーフローユニット４Ｂの最上部の上面開口は上部蓋５０で閉鎖され、最下部はオーバーフロー排出口１７となっている。
【００３８】
ここで、オーバーフローユニット４Ｂの上部蓋５０近傍に組み込まれた最上部の第３筒状継手８Ｃの横接続口２０（図５（ｄ））と、これと隣合う水貯めユニット４Ａの最上部近傍の第１筒状継手８Ａの筒状接続体５（図５（ｂ））とを接続すると共にこの筒状接続体５の内側には通水型接続補助部材１３Ａ（図６（ａ））を挿入してある。この筒状接続体５は、他の筒状接続体５よりも最も高い位置に位置しており、またオーバーフローユニット４Ｂの最上部以外の他の筒状継手８Ａ,８Ｃはいずれも、止水型接続補助部材１３Ｂ（図６（ｂ））を用いて筒状接続体５に対して止水状態で接続されている。これにより、水貯め部９内からのオーバーフロー水は、最上部の筒状接続体５のみからオーバーフローユニット４Ｂ内にオーバーフローするようになっている。
【００３９】
オーバーフローユニット４Ｂとは反対側の他方の最端部に位置する１本の水貯めユニット４Ｃには、貯留した雨水を外部に取り出しするための雨水流出口１２が設けられる。図４の例では、水貯めユニット４Ｃの最下部の第２筒状継手８Ｂから突出する筒状接続体５を、雨水流出口１２として機能させている。
【００４０】
しかして、上記構成の雨水貯留機能を備えた格子１においては、降雨時に、屋根７０から軒樋５２内に流れ込む雨水が、図２の矢印ａ→ｂに示すように、雨水流入口１１から各水貯めユニット４Ａ内の水貯め部９にそれぞれ流入して一旦溜め置きされ、必要に応じて止水栓８０を開くことで雨水流出口１２から外部の散水に利用できるようになる。
【００４１】
一方、大量の雨水が雨水流入口１１から流入して、水貯め部９内に雨水が充満したときは、雨水流入口１１から流入する過剰の雨水が、図２の矢印ｃで示すように、オーバーフローユニット４Ｂの最上部近傍に接続される通水型の筒状接続体５からオーバーフローして、オーバーフローユニット４Ｂの最下部から外部に排出される。
【００４２】
ここで、施工面においては、水貯めユニット４Ａ及びオーバーフローユニット４Ｂをそれぞれ構成する格子素体ユニット４に組み込まれる筒状体６の数を増減したり、筒状体６自体の長さ寸法を変えたりすることで、格子素体ユニット４の全長を容易に調整できる。また格子素体ユニット４の使用数を増減することで格子１の全幅を容易に調整できる。従って、例えば外壁高さや窓部の位置等に合わせて、格子１の形状、大きさを適宜変更自在となり、結果、従来のような寸法が画一化されたパイプ型雨水タンクとは異なり、雨水貯留機能を備える格子１の設計条件の自由度が増すと共に、格子１の増設も見栄え良く行うことができる。
【００４３】
また本例では、筒状接続体５内に挿入される接続補助部材１３を利用して、筒状接続体５と筒状継手８との接続ができると共に該接続部分の外れ防止と水漏れ防止とを図ることができるので、該接続部分に対して外部から外れ防止のための補強をしたり、防水加工を施したりする必要がなく、施工にかかる手間やコストを削減できる。そのうえ、接続補助部材１３は外部に露出しないため格子１の外観が損なわれることもない。
【００４４】
また、外観面においては、水貯めユニット４Ａとオーバーフローユニット４Ｂとを構成する複数本の格子素体ユニット４同士を筒状接続体５を介して互いに接続連通させることで、外観が格子状となり、且つそれ自体に雨水貯留機能を持たせることができる。しかも、格子素体ユニット４間の隙間を通じて通風や採光ができると共に格子素体ユニット４相互間の間隔寸法を筒状接続体５によって均一に確保できる。そのうえ雨水流入口１１と軒樋５２とを納まり良く接続できるので、軒樋５２と格子１との間に一体感が生まれ、結果、施工した際に違和感がなくなり、従来のパイプ型雨水タンクと比較して、住宅のデザインが飛躍的に向上するものであり、さらに、格子素体ユニット４を筒状に長く延ばすことで、貯水量を確保しながら屋外側への突出を抑えることができるので、道路側に出っ張ることも、通行の妨げなど邪魔になることもなくなる。
【００４５】
また、使用面においては、過剰の雨水はオーバーフローユニット４Ｂから排出されるので、大雨時に雨水流入口１１側から雨水が逆流して周囲の外壁や道路側に飛散したりすることがなく、雨仕舞いが良好となる。そのうえ格子１の表面積は大きいので放熱量が大きく、特に夏場の家屋の昇温抑制にも役立つ。
【００４６】
次に、上記格子素体ユニット４を固定する壁面固定具１４の一例を図７に示す。壁面固定具１４は、釘などの固着具３５を用いて壁面１０（図１）に固定されると共に、先部に左右一対のリップ型の掛止部１５が突設された略Ｃ形金具からなる。一方、接続機能付き筒状継手８（第１筒状継手８Ａ（図５（ｂ））、第２筒状継手８Ｂ（図５（ｃ））、第３筒状継手８Ｃ（図５（ｄ））の背面には、それぞれ、左右一対の爪型の被掛止部１６が突設されている。この被掛止部１６を掛止部１５に引っ掛けることで、各筒状継手８Ａ〜８Ｃがそれぞれユニットの長さ方向Ａにスライド可能な状態で掛止されるようになる。また本例の壁面固定具１４の大きさは筒状継手８Ａ〜８Ｃと同じかそれよりも小さく形成され、前方から見て壁面固定具１４が見えないようにしてある。なお図７中の３７は掛止部１５の両端開口を覆うカバー部材である。
【００４７】
これにより、各格子素体ユニット４の構成材料が樹脂の場合において、例えば夏場に熱で樹脂が収縮したときは、この熱収縮を壁面固定具１４の掛止部１５と格子素体ユニット４側の被掛止部１６とのスライド掛止部分にて吸収できるようになる。これにより、熱収縮に伴う格子素体ユニット４の変形発生を防止でき、変形に伴う水漏れの防止対策や、壁面１０（図１）との不陸調整を行う必要もなくなり、良好な外観を長期に亘って持続できるものである。
【００４８】
次に、雨水流出口１２に接続される散水手段１８について説明する。
【００４９】
図３は雨水貯留機能を備えた格子１を、住宅の正面壁１０ａと側面壁１０ｂにそれぞれ設置した場合の一例を示しており、格子１の雨水流出口１２と散水ホース１８ａとの間には濾過ユニット２５が介設されている。本例の濾過ユニット２５は、図３（ｂ）、図４に示すように、扁平箱状に形成されており、その上端部に設けた雨水を取り入れる雨水取入口２６がホース２７を介して雨水流出口１２に接続連通されている。
【００５０】
濾過ユニット２５の内部空間は、図９（ａ）に示すように、フィルター部２８で上下に仕切られており、上側に止水弁３１で開閉される雨水取入管３０が収納され、雨水取入口２６からの雨水が、雨水取入管３０を経由してフィルター部２８の上面全体に拡散して流れ落ちる。フィルター部２８で濾過された雨水は複数本の導水管２９を経由して下側の貯水部３２に溜められる。貯水部３２の底部には雨水放出口３３が設けられており、この雨水放出口３３に外部から、先端にシャワー放出口３４を備えた散水ホース１８ａ（図４）が接続される。
【００５１】
本例では、濾過ユニット２５内の貯水部３２の上端位置Ｐ１が水貯めユニット４Ａの雨水流出口１２の高さ（図４）よりも低い位置にくるようにして、濾過ユニット２５を壁面１０（図３）に固定する。これにより、水貯め部９（図２）内の水圧を利用して散水ホース１８ａからの散水ができる。つまりポンプなどの動力源を用いずに水圧を利用して、外部への散水を省エネで行えるようになる。
【００５２】
濾過ユニット２５の固定は、図９（ｂ）に示す壁面固定具１４を用いて行う。各壁面固定具１４は、釘などの固着具３５を用いて壁面１０（図３）に固定される略Ｊ型金具からなり、その先部に上向きＬ形に突出している掛止部１５に対して、濾過ユニット２５の背面の被掛止部１６を引っ掛けるようにする。
【００５３】
このように、本例の濾過ユニット２５は、雨水流出口１２と散水ホース１８ａとを接続する機能に加えて、雨水中の枯葉・塵埃・砂等のゴミや不純物を除去する濾過フィルター機能を備えているので、生活用水や非常時の用水として種々の用途で使用できる。また、フィルター部２８を掃除するときは、止水弁３１を閉じて水圧がかからないようにしてから、濾過ユニット２５の上面開口を覆う飛散防止兼防虫用の蓋（図示せず）を取り外して、溜まったゴミを掃除することができる。さらに濾過ユニット２５を扁平箱形にすることで、前方への突出が抑えられ、格子１と同様、道路側に出っ張ることも、通行の妨げなど邪魔になることもない。
【００５４】
また本例の濾過ユニット２５はその外形状が変形しやすい扁平箱状であるが、その背面の被掛止部１６が壁面固定具１４の掛止部１５に対してスライド可能に引っ掛け掛止されるので、濾過ユニット２５の変形を当該スライド掛止部分にて吸収でき、変形による外観低下を極力抑えることができる利点もある。
【００５５】
図８は、本例の雨水貯留機能を備えた格子１,１を建物のコーナー部１０ｃを跨って正面壁１０ａ（図３（ａ））と側面壁１０ｂ（図３（ｂ））とにそれぞれ設置した場合において、コーナー用筒状継手８Ｄを用いて両格子１,１を互いに接続する場合の一例を示している。
【００５６】
コーナー用筒状継手８Ｄは、正面壁１０ａのコーナー部１０ｃ側に最も近い水貯めユニット４Ａの第２筒状継手８Ｂと、側面壁１０ｂのコーナー部１０ｃに最も近い水貯めユニット４Ａの第１筒状継手８Ａとを、第２筒状継手８Ｂから突出した筒状接続体５を介して互いに接続して構成される。このコーナー用筒状継手８Ｄを介して、正面壁１０ａ側の格子１内の水貯め部９（図２）と側面壁１０ｂ側の格子１内の水貯め部９（図２）とが互いに連通状態となるので、雨水の貯留量が増加すると共に、雨水流入口１１、雨水流出口１２、オーバーフロー排出口１７はそれぞれ１箇所設けるだけで済むようになる。また両格子１,１間の接続部分には、コーナー用筒状継手８Ｄの筒状接続体５のみが露出するだけとなり、コーナー部１０ｃの外観が損なわれることがない。なおコーナー用筒状継手８Ｄは壁面１０に固定されてもよいが、固定されなくてもよく、この場合は背面に設けられる被掛止部１６（図７）を省略できる。
【００５７】
図１０は、格子素体ユニット４を横格子３として用い、筒状接続体５を縦格子２として用いた一例を示している。本例では、上下４列に横設された格子素体ユニット４のうち最上段の格子素体ユニット４をオーバーフローユニット４Ｂとして機能させ、下側３段の格子素体ユニット４をそれぞれ水貯めユニット４Ａとして機能させている。
【００５８】
最上段のオーバーフローユニット４Ｂの１つの筒状体６には、上方に開口した雨水流入口１１が設けられ、雨水流入口１１を備える筒状体６の左右両側に位置する第１筒状継手８Ａ（図５（ｂ））の下面側に突出する筒状接続体５が、下段側の水貯めユニット４Ａの第２筒状継手８Ｂ（図５（ｃ））の横接続口２０に接続される。各水貯めユニット４Ａ内部には、それぞれ、横方向Ｂに長く延びた両端閉止型の水貯め部が形成されており、雨水流入口１１から流入する雨水がそれぞれ水貯めユニット４Ａ内に貯留されるようになっている。また本例では、オーバーフローユニット４Ｂの一端部が、接続ホース３６を介して、縦方向Ａに延びるオーバーフロー用縦樋４０の上端に接続連通されており、雨水流入口１１から流入する過剰の雨水がオーバーフロー用縦樋４０を通じて排水される。また最下段の水貯めユニット４Ｃの一端部には、雨水流出口１２が設けられ、接続ホース６０を介して濾過ユニット２５の雨水取入口２６に接続されている。濾過ユニット２５及び散水ホース１８ａについては前記実施形態と同様である。
【００５９】
このように、各水貯めユニット４Ａを横方向Ｂに長く延ばすことで、前記実施形態と同様に、外観を良好に保ちながら屋外側への突出を抑えることができる等の効果が得られる。図１１は壁面固定具１４及び筒状継手８（８Ａ〜８Ｃ）の背後に設けた爪型の被掛止部１６の一例であり、基本的には図７の壁面固定具１４及び被掛止部１６と同じであり、格子素体ユニット４の熱収縮による変形等を防止する機能を兼ね備えている。
【００６０】
前記各実施形態では、格子素体ユニット４の外観形状を角柱状に統一し、筒状接続体５の外観形状は円柱状に統一したが、外観形状は特に問わず、格子状の外観をもたらすような形状であれば適宜に設計変更自在である。
【符号の説明】
【００６１】
１  格子
２  縦格子
３  横格子
４  格子素体ユニット
５  筒状接続体
６  筒状体
７  筒状継手
７ａ  上接続口
７ｂ  下接続口
８  接続機能付き筒状継手
９  水貯め部
１０  壁面
１１  雨水流入口
１２  雨水流出口
１３  接続補助部材
１４  壁面固定具
１５  掛止部
１６  被掛止部
１７  オーバーフロー排出口
１８  散水手段
Ａ  長さ方向
【図１】
2011111781.tif 000003
【図２】
2011111781.tif 000004
【図３】
2011111781.tif 000005
【図４】
2011111781.tif 000006
【図５】
2011111781.tif 000007
【図６】
2011111781.tif 000008
【図７】
2011111781.tif 000009
【図８】
2011111781.tif 000010
【図９】
2011111781.tif 000011
【図１０】
2011111781.tif 000012
【図１１】
2011111781.tif 000013